(57)【特許請求の範囲】
【請求項１】
フラット導体がフラット絶縁被覆で被覆されたフラットケーブルの端部で、接続端子の複数のクリンプ片が前記フラット導体の箇所でそれぞれ突き刺されて前記接続端子がフラット導体に導通接続され、前記フラットケーブルを突き抜けた前記各クリンプ片が折り曲げ加締められて端子接続部が形成され、端子収納室を有するコネクタハウジングの前記端子収納室に前記接続端子が挿入されて抜け止めされ、前記端子収納室には前記接続端子に接続されている前記フラットケーブルを押さえるリテーナ本体を有するフラットケーブルコネクタ用リテーナの前記リテーナ本体が挿入されているコネクタ付きフラットケーブルにおいて、
前記リテーナ本体には、これに連設されていて前記コネクタハウジングの外に突出する所要の長さを有するフラットケーブル保持部材が一体に設けられて、前記フラットケーブル保持部材に前記フラットケーブルが添わされ、前記フラットケーブル保持部材とこれに添わされた前記フラットケーブルとに粘着テープが巻き付けられて、前記フラットケーブル保持部材とフラットケーブルとが相互に結束されているコネクタ付きフラットケーブル。
【請求項２】
並設された複数のフラット導体がフラット絶縁被覆で一括して被覆されたフラットケーブルに接続端子の複数のクリンプ片が前記フラット導体の箇所で突き刺されて前記接続端子がフラット導体に導通接続され、前記フラットケーブルを突き抜けた前記各クリンプ片が折り曲げ加締められて端子接続部が形成され、複数の端子収納室を有するコネクタハウジングの前記各端子収納室に前記フラットケーブルの前記接続端子がそれぞれ挿入されて抜け止めされ、複数のリテーナ本体を連結部材で連結してなるフラットケーブルコネクタ用リテーナが設けられて、該フラットケーブルコネクタ用リテーナの複数のリテーナ本体がそれぞれ前記複数の端子収納室内に挿入され、各端子収納室内に挿入されたリテーナ本体により各端子収納室内に挿入された接続端子に接続されたフラットケーブル部が押えられているコネクタ付きフラットケーブルにおいて、
前記フラットケーブルコネクタ用リテーナの前記連結部材に、前記コネクタハウジングの外に突出する所要の長さを有するフラットケーブル保持部材が連設されて、前記フラットケーブル保持部材に前記各フラットケーブルが添わされ、前記フラットケーブル保持部材とこれに添わされたフラットケーブルとに粘着テープが巻き付けられて、前記フラットケーブル保持部材とフラットケーブルとが相互に結束されているコネクタ付きフラットケーブル。
【発明の詳細な説明】
【０００１】
【発明の属する技術分野】
本発明は、コネクタ付きフラットケーブルに関するものである。
【０００２】
【従来の技術】
電気機器や自動車等の電気配線に、図４に示すように、平行に並設された銅やアルミニュウム等の帯状導体よりなる例えば厚さが0.15ｍｍ，幅が1.5 ｍｍ〜3.0 ｍｍ程度の複数のフラット導体１が、ポリエチレンテレフタレートの如きプラスチックよりなるフラット絶縁被覆２で一括して被覆された構造のフラットケーブル３が用いられるようになってきている。
【０００３】
このようなフラットケーブル３では、図５に示すように、隣接するフラット導体１間のフラット絶縁被覆２に切込み４が入れられトリミングされて複数の独立したフラットケーブル部３Ａ，３Ｂが分岐して形成され、これらの独立したフラットケーブル部３Ａ，３Ｂに、図４に示すように、雌形端子本体５ａに端子板部５ｂが連設され、該端子板部５ｂの幅方向の両側にクリンプ片６が立設された構造の接続端子７の各クリンプ片６をそのフラット導体１に対応する箇所で突き刺して、対応するフラット導体１と接続端子７との導通をとり、各フラットケーブル部３Ａ，３Ｂを突き抜けた各クリンプ片６の先端部を、図５に示すように、折曲げ加締めて端子接続部８をそれぞれ形成することにより、端子付きフラットケーブル９とすることが実施されている。
【０００４】
通常、このような端子付きフラットケーブル９において、独立したフラットケーブル部３Ａ，３Ｂに接続された各接続端子７は、図６に示すように、横向きのコネクタハウジング１０内に横方向に並設された各端子収容室１１Ａ，１１Ｂに、各端子接続部８も内蔵されるように収容され、図示しない係止部材で抜止めされてコネクタ１２が形成され、コネクタ付きフラットケーブル１３となっている。
【０００５】
しかしながら、実際には、端子付きフラットケーブル９専用に総てのコネクタハウジング１０が設計されているわけではなく、経済的理由やコネクタ１２の配置場所の影響から、図７に示すように、縦向きの従来のコネクタハウジング１０内に縦方向に並設された各端子収容室１１Ａ，１１Ｂに、各接続端子７がその端子接続部８も内蔵されるように収容され、図示しない係止部材で抜止めされてコネクタ１２が形成され、コネクタ付きフラットケーブル１３となるものもある。なお、１４はコネクタハウジング１０を接続相手の図示しないコネクタハウジングに嵌めてロックするロック部材である。
【０００６】
この場合、端子収容室１１Ａ，１１Ｂに挿入する各接続端子７には、方向性があり、上下共に同一方向に挿入しなければならない場合もあれば、上下逆方向に挿入しなければならない場合もある。
【０００７】
このようにコネクタハウジング１０内に端子収容室１１Ａ，１１Ｂが縦に存在する場合には、予めフラットケーブル部３Ａ，３Ｂが独立して動けるように、図７に示すように、隣接するフラット導体１間のフラット絶縁被覆２に切込み４を入れ、図８に示すように、一方のフラットケーブル部３Ｂをひねって他方のフラットケーブル部３Ａの上に存在させ、図７に示す上下の各端子収容室１１Ａ，１１Ｂに、各接続端子７がその端子接続部８も内蔵されるように収容していた。
【０００８】
この他に、実際に使用されるコネクタハウジング１０は、例えば図９に示すように、縦横に端子収容室１１Ａ，１１Ｂ，１１Ｃ，１１Ｄが設けられたものも使われ、この場合には、４本のフラット導体１を有するフラットケーブル３に、一端側で隣接する２本のフラット導体１間のフラット絶縁被覆２に切込み４を入れて独立したフラットケーブル部３Ａ，３Ｂを形成し、２本目と３本目のフラット導体１間に切込み４より長い切込み１５を入れて独立したフラットケーブル部３Ｘ，３Ｙを形成し、３本目と４本目のフラット導体１間に切込み４と同程度の長さの切込み１６を入れて独立したフラットケーブル部３Ｃ，３Ｄを形成し、これらフラットケーブル部３Ａ〜３Ｄに前述したと同様に各接続端子７をその各クリンプ片６を用いて接続して端子付きフラットケーブル９を構成し、各接続端子７をその端子接続部８も内蔵されるように対応する端子収容室１１Ａ〜１１Ｄに収容して、図示しない係止部材で抜止めしてコネクタ１２を形成し、コネクタ付きフラットケーブル１３とする場合もある。
【０００９】
このようにしてコネクタハウジング１０に挿入された端子付きフラットケーブル９に、もし曲げやひねりといった外力が加えられると、その力がコネクタハウジング１０内の端子接続部８におよび、該端子接続部８の絶縁部を破断してしまう恐れがある。
【００１０】
このため、通常、図１０及び図１１に示すように、コネクタハウジング１０内の各端子収容室１１Ａ，１１Ｂに、端子付きフラットケーブル９の接続端子７をそれぞれ挿入して抜け止めしてセットした状態で、各端子収容室１１Ａ，１１Ｂの後端から、各接続端子７に接続されているフラットケーブル部３Ａ，３Ｂを押さえる樹脂等で形成されたリテーナ本体１７を有するフラットケーブルコネクタ用リテーナ１８を挿入して押え部１９で押さるようにしている。
【００１１】
このようにすると、コネクタハウジング１０の外で、フラットケーブル部３Ａ，３Ｂに外力が作用した場合、その外力による影響は押え部１９で阻止されて、端子接続部８に作用しないようになり、端子接続部８を保護することができる。
【００１２】
【発明が解決しようとする課題】
しかしながら、従来考えられているフラットケーブルコネクタ用リテーナ１８による外力防止保護方法では、ある程度のフラットケーブル部３Ａ，３Ｂの曲げ応力に対しては効果を発揮するが、さらに強い力によるフラットケーブルへの曲げ応力や引張り応力に対しては弱い問題点があった。
【００１３】
また、車載フラットケーブルの使われ方は、ごく限られた配索やフラットケーブル用コネクタの接続作業が比較的やり易い部位に使用されてきたが、最近、フラットケーブルの車載配線が増し、車内の狭隘な部位や手探りでフラットケーブル用コネクタを接続しなければないないような部位にも使われるようになってきている。そのような部位では、フラットケーブルの配索や接続作業時に、今まで考え難かった異常な曲げや張力がかかることが考えられ、早急に接続端子とフラットケーブルとの端子接続部に外力が作用するのを防止する保護対策を確立することが望まれている。
【００１４】
本発明の目的は、接続端子とフラットケーブルとの端子接続部に外力が作用するのを防止できるコネクタ付きフラットケーブルを提供することにある。
【００１５】
【課題を解決するための手段】
本発明は、フラット導体がフラット絶縁被覆で被覆されたフラットケーブルの端部で、接続端子の複数のクリンプ片がフラット導体の箇所でそれぞれ突き刺されてフラット導体に導通接続され、フラットケーブル部を突き抜けた各クリンプ片が折り曲げ加締められて端子接続部が形成され、端子収納室を有するコネクタハウジングの端子収納室に接続端子が挿入されて抜け止めされ、端子収納室には接続端子に接続されているフラットケーブルを押さえるリテーナ本体を有するフラットケーブルコネクタ用リテーナのリテーナ本体が挿入されているコネクタ付きフラットケーブルを対象とする。
【００１６】
本発明に係るコネクタ付きフラットケーブルでは、リテーナ本体に、これに連設されていてコネクタハウジングの外に突出する所要の長さを有するフラットケーブル保持部材が一体に設けられて、このフラットケーブル保持部材にフラットケーブルが添わされ、フラットケーブル保持部材とこれに添わされたフラットケーブルとに粘着テープが巻き付けられて、前記フラットケーブル保持部材とフラットケーブルとが相互に結束されている。
【００１７】
このようなコネクタ付きフラットケーブルによれば、フラットケーブルに異常な曲げや張力等の外力が作用しても、この外力はこのフラットケーブルと一緒に結束手段で結束されているフラットケーブル保持部材とこれに一体のコネクタハウジングに作用するようになる。このため、コネクタハウジング内の接続端子とフラットケーブルとの端子接続部にその外力が作用しなくなり、端子接続部を外力から保護することができる。
【００１８】
また、本発明は、並設された複数のフラット導体がフラット絶縁被覆で一括して被覆されたフラットケーブルには接続端子の複数のクリンプ片がフラット導体の箇所でそれぞれ突き刺されてフラット導体に導通接続され、フラットケーブルを突き抜けた各クリンプ片が折り曲げ加締められて端子接続部が形成され、複数の端子収納室を有するコネクタハウジングの各端子収納室にフラットケーブルの接続端子がそれぞれ挿入されて抜け止めされ、複数のリテーナ本体を連結部材で連結してなるフラットケーブルコネクタ用リテーナが設けられて、該フラットケーブルコネクタ用リテーナの複数のリテーナ本体がそれぞれ複数の端子収納室内に挿入され、各端子収納室内に挿入されたリテーナ本体により各端子収納室内に挿入された接続端子に接続されたフラットケーブル部が押えられているコネクタ付きフラットケーブルを対象とする。
【００１９】
本発明に係るコネクタ付きフラットケーブルでは、フラットケーブルコネクタ用リテーナの連結部材に、コネクタハウジングの外に突出する所要の長さを有するフラットケーブル保持部材が連設されて、このフラットケーブル保持部材に各フラットケーブルが添わされ、フラットケーブル保持部材とこれに添わされたフラットケーブルとに粘着テープが巻き付けられて、前記フラットケーブル保持部材とフラットケーブルとが相互に結束されている。
【００２０】
このようなコネクタ付きフラットケーブルによれば、フラットケーブルに異常な曲げや張力等の外力が作用しても、この外力はこのフラットケーブルと一緒に結束手段で結束されているフラットケーブル保持部材とこれに一体のコネクタハウジングに作用するようになる。このため、コネクタハウジング内の接続端子とフラットケーブルとの端子接続部にその外力が作用しなくなり、端子接続部を外力から保護することができる。
【００２１】
【発明の実施の形態】
図１（Ａ）（Ｂ）乃至図３は本発明に係るフラットケーブルコネクタ用リテーナ及びコネクタ付きフラットケーブルの実施の形態の一例を示したもので、図１（Ａ）（Ｂ）は本例のフラットケーブルコネクタ用リテーナの正面図及び側面図、図２及び図３は本例のコネクタ付きフラットケーブルの斜視図及びコネクタハウジングを縦断して内部を開示した説明図である。
【００２２】
本例のフラットケーブルコネクタ用リテーナ１８は、後述するコネクタハウジングの端子収納室にセットされて該端子収納室内の接続端子に接続されているフラットケーブルを押さえるリテーナ本体１７を有する。本例では、リテーナ本体１７がその押え部１９が相互に向かい合う向きにして、基部が連結部材２０で相互に連結されている。連結部材２０には、各押え部１９の縁部に対応してフラットケーブル通し溝２１が設けられている。一方のリテーナ本体１７には、これ一体の連結部材２０に連設されていて図示しないコネクタハウジングの外に突出する所要の長さを有するフラットケーブル保持部材２２が１本設けられている。このフラットケーブル保持部材２２は、一方のリテーナ本体１７側から他方のリテーナ本体１７側にまげられている。
【００２３】
図２及び図３は本発明に係るコネクタ付きフラットケーブルの実施の形態の１例を示したものである。
【００２４】
本例のコネクタ付きフラットケーブルは、前述した図１０及び図１１に示すコネクタ付きフラットケーブルに本発明を適用したものである。
【００２５】
本例のコネクタ付きフラットケーブルでは、コネクタハウジング１０内の各端子収容室１１Ａ，１１Ｂに、フラットケーブル９から分岐した各フラットケーブル部３Ａ，３Ｂの先端の接続端子７をそれぞれ挿入して抜け止めしてセットした状態で、各端子収容室１１Ａ，１１Ｂの後端から、各接続端子７に接続されている樹脂等で形成された図（Ａ）（Ｂ）に示すフラットケーブルコネクタ用リテーナ１８の各リテーナ本体１７が挿入されて各押え部１９でフラットケーブル部３Ａ，３Ｂが押さえられている。
【００２６】
コネクタハウジング１０の外に突出されている各フラットケーブル部３Ａ，３Ｂは、フラットケーブルコネクタ用リテーナ１８のフラットケーブル保持部材２２にそれぞれ添わされている。フラットケーブル保持部材２２とこれに添わされた各フラットケーブル部３Ａ，３Ｂとは、粘着テープの巻き付けにより構成された結束手段２３で相互に結束されている。
【００２７】
上記例では、フラットケーブルから分岐した各フラットケーブル部の先端の接続端子を各端子収容室に収容した例について説明したが、本発明はこれに限定されるものではなく、独立した各フラットケーブルの先端の接続端子を各端子収容室に収容してもよい。
【００２８】
前述した各フラットケーブル部はフラットケーブルには相違ないので、請求の範囲ではフラットケーブル部もフラットケーブルとして表現している。
【００２９】
また、上記例では、コネクタハウジングに複数の端子収容室が存在する例について説明したが、本発明はこれに限定されるものではなく、コネクタハウジングに１つの端子収容室が存在する例も本発明に含まれるものである。
【００３０】
【発明の効果】
請求項１に記載された発明に係るコネクタ付きフラットケーブルでは、コネクタハウジングの外に突出する所要の長さを有するフラットケーブル保持部材をリテーナ本体に一体に設けて、フラットケーブル保持部材にフラットケーブルが添わせ、フラットケーブル保持部材とこれに添わせたフラットケーブルとを粘着テープで相互に結束したので、フラットケーブルに異常な曲げや張力等の外力が作用しても、この外力はこのフラットケーブルと一緒に結束手段で結束されているフラットケーブル保持部材とこれに一体のコネクタハウジングに作用するようになる。このため、コネクタハウジング内の接続端子とフラットケーブルとの端子接続部にその外力が作用しなくなり、端子接続部を外力から保護することができる。
【００３１】
また、請求項２に記載された発明に係るコネクタ付きフラットケーブルでは、複数のリテーナ本体を連結部で連結してなるフラットケーブルコネクタ用リテーナの連結部材に、コネクタハウジングの外に突出する所要の長さを有するフラットケーブル保持部材を連設して、このフラットケーブル保持部材に各フラットケーブルを添わせ、フラットケーブル保持部材とこれに添わせた各フラットケーブル部とを粘着テープで相互に結束したので、フラットケーブルに異常な曲げや張力等の外力が作用しても、この外力はこのフラットケーブルと一緒に結束手段で結束されているフラットケーブル保持部材とこれに一体のコネクタハウジングに作用するようになる。このため、コネクタハウジング内の接続端子とフラットケーブルとの端子接続部にその外力が作用しなくなり、端子接続部を外力から保護することができる。
【００３２】
またフラットケーブル保持部材とフラットケーブル部とを粘着テープで結束すると、簡単に結束を行うことができる。
【図面の簡単な説明】
【図１】  （Ａ）（Ｂ）は本発明に係るフラットケーブルコネクタ用リテーナの実施の形態の一例を示した正面図及び側面図である。
【図２】  発明に係るコネクタ付きフラットケーブルの実施の形態の一例の斜視図である。
【図３】  図２に示すコネクタ付きフラットケーブルでコネクタハウジングを縦断して内部を開示した説明図である。
【図４】  従来の接続端子とフラットケーブルの接続前の斜視図である。
【図５】  接続端子をフラットケーブルに接続した従来の端子付きフラットケーブルの斜視図である。
【図６】  従来の横形のコネクタハウジングに端子付きフラットケーブルを挿入する前の状態の斜視図である。
【図７】  従来の縦形のコネクタハウジングに端子付きフラットケーブルを挿入する前の状態の斜視図である。
【図８】  従来の縦形のコネクタハウジングに端子付きフラットケーブルを挿入した後のコネクタ付きフラットケーブルの平面図である。
【図９】  従来の上下左右に端子収容室を有するコネクタハウジングに端子付きフラットケーブルを挿入する前の状態の斜視図である。
【図１０】  従来の縦形のコネクタ付きフラットケーブルの各端子収容室にリテーナを挿入する過程を示す斜視図である。
【図１１】  従来の縦形のコネクタ付きフラットケーブルの各端子収容室にリテーナを挿入した後の状態を示す縦断面図である。
【符号の説明】
１  フラット導体
２  フラット絶縁被覆
３  フラットケーブル
３Ａ，３Ｂ  フラットケーブル部
４  切込み
５ａ  雌形端子本体
５ｂ  端子板部
６  クリンプ片
７  接続端子
８  端子接続部
９  端子付きフラットケーブル
１０  コネクタハウジング
１１Ａ，１１Ｂ  端子収容室
１２  コネクタ
１３  コネクタ付きフラットケーブル
１４  ロック部材
１５，１６  切込み
１７  リテーナ本体
１８  フラットケーブルコネクタ用リテーナ
１９  押え部
２０  連結部材
２１  フラットケーブル通し溝
２２  フラットケーブル保持部材
２３  結束手段
【図１】
0004278920.tif 000002
【図２】
0004278920.tif 000003
【図３】
0004278920.tif 000004
【図４】
0004278920.tif 000005
【図５】
0004278920.tif 000006
【図６】
0004278920.tif 000007
【図７】
0004278920.tif 000008
【図８】
0004278920.tif 000009
【図９】
0004278920.tif 000010
【図１０】
0004278920.tif 000011
【図１１】
0004278920.tif 000012